(57)【要約】【課題】不揮発性メモリを有するデバイスにおける電力損失を制御するための方法及び装置を提供すること。【解決手段】電力損失を制御するための方法及びデバイスがここに説明される。１つの実施形態において、この方法は、コントローラにより制御された電力遮断コマンドを出すことを含む。この方法は、メモリデバイスがバックグラウンド動作を実行しているかどうかを判断することを含む。この方法は、メモリデバイスがバックグラウンド動作を実行している場合に、バックグラウンド動作を安全に一時停止すること、又は、バックグラウンド動作を完了することを含む。この方法は、供給電力を安全に除去することを含む。【選択図】図１
2010277685.tif 000002
【特許請求の範囲】
【請求項１】
不揮発性メモリ（ＮＶＭ）デバイスであって、
データを格納するためのＮＶＭアレイと、
コントローラから制御された電力遮断コマンドを受信するための、前記ＮＶＭアレイに結合されたコマンド・インターフェースと、
前記ＮＶＭデバイスがバックグラウンド動作を実施しているかどうかを示す情報を格納するための、前記ＮＶＭアレイに結合された状況レジスタ・ユニットと、
を含み、前記ＮＶＭデバイスが前記バックグラウンド動作を実施している場合に、前記ＮＶＭデバイスは、供給電力の損失より前に該バックグラウンド動作を安全に一時停止するか又は該バックグラウンド動作を完了させることを特徴とするデバイス。
【請求項２】
バックグラウンド動作は、前記供給電力の損失に先立って、安全に完了されるか又は自動的に一時停止されることを特徴とする、請求項１に記載の集積回路デバイス。
【請求項３】
前記デバイスは、電力が復旧された後に一時停止されたバックグラウンド動作を完了するように構成されることを特徴とする、請求項１に記載の集積回路デバイス。
【請求項４】
前記コマンド・インターフェースは、前記制御された電力遮断コマンドに応答して、状況レジスタを通してメモリ肯定応答を前記コントローラに送ることを特徴とする請求項１に記載の集積回路デバイス。
【請求項５】
前記バックグラウンド動作は、メモリアレイのリフレッシュ又はウェアレベリング・アルゴリズムをさらに含むことを特徴とする、請求項１に記載の集積回路デバイス。
【請求項６】
前記状況レジスタ・ユニットは、前記ＮＶＭデバイスが前記バックグラウンド動作を安全に一時停止又は完了したかどうかを示す情報を格納することを特徴とする請求項１に記載の集積回路デバイス。
【請求項７】
前記状況レジスタ・ユニットは、前記供給電力の復旧時に前記一時停止されたバックグランド動作を再開する際に前記ＮＶＭデバイスによって用いられる情報を格納することを特徴とする、請求項１に記載の集積回路デバイス。
【請求項８】
データ処理デバイスであって、
１つ又はそれ以上のプロセッサコアを有する処理ユニットと、
不揮発性メモリ（ＮＶＭ）デバイスを有する、前記処理ユニットに結合されたシステムメモリとを含み、前記不揮発性メモリ（ＮＶＭ）デバイスは、
データを格納するためのＮＶＭアレイと、
前記処理ユニットから制御された電力遮断コマンドを受信するための、ＮＶＭアレイに結合されたコマンド・インターフェースと、
前記ＮＶＭデバイスがバックグラウンド動作を実施しているかどうかを示す情報を格納するための、前記ＮＶＭアレイに結合された状況レジスタ・ユニットと、
を含み、前記ＮＶＭデバイスが前記バックグラウンド動作を実施している場合に、前記ＮＶＭデバイスは、供給電力の損失より前に該バックグラウンド動作を安全に一時停止するか又は該バックグラウンド動作を完了させることを特徴とするデータ処理デバイス。
【請求項９】
前記バックグランド動作が安全に完了された又は一時停止された後に前記ＮＶＭデバイスから前記供給電力を除去するための、前記処理ユニットに結合された電力管理ユニットをさらに含むことを特徴とする、請求項８に記載のデータ処理デバイス。
【請求項１０】
前記ＮＶＭデバイスは、前記電力管理ユニットによって電力が復旧された後、前記一時停止されたバックグランド動作を完了するように構成されることを特徴とする、請求項８に記載のデータ処理デバイス。
【請求項１１】
前記コマンド・インターフェースは、前記制御された電力遮断コマンドに応答して、状況レジスタを通してメモリ肯定応答を前記処理ユニットに送ることを特徴とする、請求項８に記載のデータ処理デバイス。
【請求項１２】
前記データ処理デバイスは、
無線信号を受信するための、前記処理ユニットに結合された送受信機をさらに含む無線通信デバイスであることを特徴とする、請求項８に記載のデータ処理デバイス。
【請求項１３】
コントローラを用いて、制御された電力遮断コマンドをメモリデバイスに出し、
前記メモリデバイスがバックグランド動作を実行しているかどうかを判断し、
前記メモリデバイスが前記バックグラウンド動作を実行している場合は、前記バックグラウンド動作を安全に一時停止するか又は前記バックグラウンド動作を完了し、
供給電力を安全に除去する、
ステップを含むことを特徴とする方法。
【請求項１４】
前記電力損失イベントの検出に応答して、出された前記制御された電力遮断コマンドによって起こることが予想される制御された電力損失イベントを検出し、
前記メモリデバイスの状況レジスタ・ユニットを読み取り、該メモリデバイスが前記バックグランド動作を実行しているかどうかを判断する、
ステップをさらに含むことを特徴とする、請求項１３に記載の方法。
【請求項１５】
前記メモリデバイスへの電力を後に復旧するステップをさらに含むことを特徴とする、請求項１３に記載の方法。
【請求項１６】
前記メモリデバイスへの電力を復旧した後に、前記一時停止されたバックグランド動作を完了するステップをさらに含むことを特徴とする、請求項１５に記載の方法。
【請求項１７】
前記制御された電力遮断コマンドに応答して前記メモリデバイスから前記ホストコントローラにおけるメモリ肯定応答を受信するステップ、又は、前記バックグランド動作を安全に一時停止する前又は該バックグランド動作を完了する前に一定の時間待つステップをさらに含むことを特徴とする、請求項１３に記載の方法。
【請求項１８】
前記メモリデバイスが前記バックグランド動作を実行していない場合、前記電力供給が安全に除去されることを特徴とする、請求項１３に記載の方法。
【請求項１９】
前記メモリデバイスは、前記メモリデバイスの前記状況レジスタ・ユニットを読み取るまで、前記バックグランド動作を認識する前記ホストコントローラなしで、前記バックグラウンドタスクを実施することを特徴とする、請求項１３に記載の方法。
【発明の詳細な説明】
【技術分野】
【０００１】
本発明の実施形態は、一般に、不揮発性メモリを有するデバイスにおける電力損失を制御する分野に関する。
【背景技術】
【０００２】
コンピュータ、携帯電話、スマートフォン、携帯情報端末（ＰＤＡ）及び他の電子デバイスは、制御可能な電力を失う場合がある。例えば、バッテリ電源が徐々に放電して、デバイスを遮断するレベルに達することがある。こうしたデバイス内に配置された不揮発性メモリは、コントローラが認識することなく開始され実行されるバックグラウンド動作を実施することができる。バックグラウンド動作の例は、電圧応力又は温度応力に起因するセルレベルのドリフトから回復するように、メモリアレイのコンテンツが周期的に書き換えられる、メモリアレイのリフレッシュである。別の例は、内蔵されたウェアレベリング・アルゴリズムの実装である。
【発明の概要】
【発明が解決しようとする課題】
【０００３】
電子デバイスにおける電力損失に対する従来の手法は、結果として電力供給の除去をもたらし、このことは、バックグラウンドタスクの完了を中断し、危険にさらす。後に電力が復旧されたとき、バックグラウンド動作の中断がデータの完全性の問題又は信頼性の問題をもたらすことがある。
【課題を解決するための手段】
【０００４】
電力損失を制御するための方法及びデバイスがここに説明される。１つの実施形態において、この方法は、コントローラにより制御された電力遮断コマンドを出すことを含む。この方法は、メモリデバイスがバックグラウンド動作を実行しているかどうかを判断することを含む。この方法は、メモリデバイスがバックグラウンド動作を実行している場合に、バックグラウンド動作を安全に一時停止（ｓｕｓｐｅｎｄ）すること、又は、バックグラウンド動作を完了することを含む。この方法は、供給電力を安全に除去することを含む。
【０００５】
供給電力が後に復旧されたときに、一時停止されたバックグラウンド動作を再開することができる。バックグラウンド動作は、メモリアレイのリフレッシュ又はウェアレベリング・アルゴリズムを含むことができる。一時停止されたバックグラウンド動作を安全に完了し又は再開することにより、従来の手法と比較してメモリの信頼性及びデータの完全性が向上する。
【０００６】
本発明の１つ又はそれ以上の実施形態は、例として示されるものであり、同様の参照番号が類似の要素を示す添付図面の図に制限されるものではない。
【図面の簡単な説明】
【０００７】
【図１】１つの実施形態による、制御可能な電力損失対処能力を有するデータ処理デバイスを示す。
【図２】１つの実施形態による、電力管理ユニットに結合された不揮発性メモリ（ＮＶＭ）デバイスを示す。
【図３】１つの実施形態による、制御可能な電力損失対処能力を有する無線通信デバイスを示す。
【図４】１つの実施形態による、制御された電力遮断シーケンスを実行するための方法を示す。
【発明を実施するための形態】
【０００８】
図１は、１つの実施形態による制御可能な電力損失対処能力（ｃｏｎｔｒｏｌｌａｂｌｅ  ｐｏｗｅｒ  ｌｏｓｓ  ｃａｐａｂｉｌｉｔｙ）を有するデータ処理デバイスを示す。データ処理デバイス１００は、第１及び第２のプロセッサコア１１６及び１１８を有する処理ユニット１１０、ホストコントローラ１１９、並びに処理ユニット１１０に結合されたシステムメモリ１２０を含む。ホストコントローラ１１９は、処理ユニット１１０の内部にあっても、又は処理ユニット１１０の外部にあってもよい。第１及び第２のプロセッサコア１１６及び１１８は、それぞれ、内蔵された不揮発性メモリ１３０及び１３２を含む。システムメモリ１２０は、不揮発性メモリ（ＮＶＭ）デバイス１２２及び種々の形式のメモリ（例えば、ＤＲＡＭ１２４、ＲＡＭ１２６、ＲＯＭ１２８）を含む。ＮＶＭデバイス１２２は、バックグラウンド動作を実施し、データを格納するための不揮発性メモリアレイ２２０を含む。ＮＶＭデバイス１２２はまた、１つ又はそれ以上のレジスタを有する状況レジスタ・ユニット２３０と、コマンド・インターフェース２４０とを含む。ＮＶＭデバイス１２２は、図２と併せてより詳細に説明される。
【０００９】
図２は、１つの実施形態による、電力管理ユニット２０２に結合されたＮＶＭデバイス１２２を示す。ＮＶＭデバイス１２２は、バックグラウンド動作（例えば、メモリアレイのリフレッシュ、内蔵されたウェアレベリング・アルゴリズム）を実施し、データを格納するための不揮発性メモリ（ＮＶＭ）アレイ２２０（例えば、ＮＡＮＤフラッシュ技術、ＮＯＲフラッシュ技術、ＰＣＭ技術に基づいた）を含む。ＮＶＭデバイス１２２はまた、１つ又はそれ以上のレジスタを有する状況レジスタ・ユニット２３０と、コマンド・インターフェース２４０とを含む。コマンド・インターフェース２４０は、ＮＶＭアレイ２２０に結合され、処理ユニット２０４に結合された又はその内部に配置されたコントローラ２０６から、制御された電力遮断コマンドを受信する。コントローラ２０６は、メモリバス２０８を介してＮＶＭデバイス１２２に結合される。コマンド・インターフェースは、有限状態機械として実装することができ、モードレジスタ（例えば、状況レジスタ・ユニット２３０）、又は、ＮＶＭアレイ２２０内にマッピングされた１組のレジスタと関連付けられたオーバーレイウィンドウ内のレジスタを含むことができる。ＮＶＭアレイ２２０に結合された状況レジスタ・ユニット２３０は、ＮＶＭデバイス１２２がバックグラウンド動作を実施しているかどうかを示す情報を格納する。ＮＶＭデバイス１２２は、制御された電力遮断コマンドをコントローラ２０６から受信したときに、ＮＶＭデバイス１２２がバックグラウンド動作を実施している場合、供給電力の損失に先立って、バックグラウンド動作を安全に一時停止するか、又はバックグラウンド動作を完了する。
【００１０】
１つの実施形態において、バックグラウンド動作は、供給電力の損失に先立って、安全に完了されるか、又は自動的に一時停止される。ＮＶＭデバイス１２２は、電力が復旧された後に、一時停止されたバックグラウンド動作を完了するように構成される。
【００１１】
１つの実施形態について、状況レジスタは、制御された電力遮断コマンドに応答して、メモリ肯定応答をコントローラ２０６に与える。コントローラ２０６がメモリ肯定応答を受信した後、電力管理ユニット２０２は、ＮＶＭデバイス１２２からの電力の除去に進むことができる。代替的に、コントローラ２０６が一定の期間内にメモリ肯定応答を受信しなかった場合、コントローラ２０６は、続けて、電力管理ユニット２０２にＮＶＭデバイス１２２から電力を除去させることができる。一定の期間とは、ＮＶＭデバイス１２２が、バックグラウンド動作を一時停止又は完了するのに十分な時間である。状況レジスタ・ユニット２３０は、ＮＶＭデバイス１２２がバックグラウンド動作を安全に一時停止又は完了したかどうかを示す情報を格納する。状況レジスタ・ユニット２３０はまた、供給電力の復旧時に一時停止されたバックグラウンド動作を再開する際に、ＮＶＭデバイス１２２によって使用される情報も格納する。幾つかの実施形態において、ＮＶＭデバイス１２２は、ＮＶＭデバイス１２２の状況レジスタ・ユニット２３０を読み取るまで、バックグラウンド動作を認識するコントローラ２０６なしで、バックグラウンドタスクを実施する。１つの実施形態において、ＮＶＭデバイスは集積回路デバイスである。
【００１２】
図３は、１つの実施形態による、制御可能な電力損失対処能力を有する無線通信デバイスを示す。無線通信デバイス３００は、該無線通信デバイス３００が処理ユニット３１０に結合された送受信機３１２も含むことを除いて、データ処理デバイス１００に類似している。送受信機３１２は、アンテナ３１４で無線信号を受信し、送信機３６０及び受信機３６２を含む。この無線の実施形態に示されるように、通信デバイス３００は、無線により他の無線通信デバイスと通信するのを可能にするための１つ又はそれ以上のアンテナ構造体３１４を含む。従って、通信デバイス３００は、携帯電話デバイス又は無線ネットワーク内で動作するデバイスとして動作することができる。通信デバイス３００の同じプラットフォーム内に配置された無線サブシステムは、ＲＦ／位置空間における異なる周波数帯域と通信する能力を、ネットワーク内の他のデバイスに与える。本発明の範囲は、通信デバイス３００が用いることができる通信プロトコルの形式、数、又は周波数によって制限されないことを理解するべきである。
【００１３】
実施形態は、アンテナ構造体３１４を送受信機３１２に結合して、変調／復調に適合させることを示す。一般に、アナログ・フロントエンド送受信機３１２は、独立型無線周波数（ＲＦ）の別個の離散又は集積アナログ回路とすることができ、或いは、送受信機３１２を、１つ又はそれ以上のプロセッサコア３１６及び３１８を有するプロセッサに埋め込むことができる。複数のコアにより、コア全体にわたって処理の作業負荷を共有し、ベースバンド機能及びアプリケーション機能を処理することが可能になる。インターフェースを使用して、プロセッサとシステムメモリ３２０内の記憶装置との間に通信又は情報を提供する。本発明の範囲はこの点に制限されるものではないが、インターフェースは、プロセッサとシステムメモリ３２０との間にハンドシェイキングを提供するために用いられる制御信号ラインと共に情報を共有するために、シリアルバス及び／又はパラレルバスを含むことができる。
【００１４】
システムメモリ３２０を随意的に用いて、無線通信デバイス３００の動作中、プロセッサによって実行される命令を格納することができ、また、システムメモリ３２０を用いて、メッセージが無線通信デバイス３００によって伝送されるとき、又は実際のデータが伝送されるときの条件のようなユーザデータを格納することができる。例えば、システムメモリ３２０内に格納された命令を使用して、無線通信を実行し、通信デバイス３００のための安全機能を与え、スケジュール調整、ｅメール、インターネットの閲覧等のユーザ機能を与えることができる。
【００１５】
システムメモリ３２０は、１つ又はそれ以上の異なる形式のメモリによって提供することができ、随意的なＤＲＡＭ、ＲＡＭ及び／又はＲＯＭ、並びに、ＮＶＭアレイ２２０を有するＮＶＭデバイス１２２を含むことができる。ＮＶＭアレイ２２０は、相変化材料を含むことができる。ＮＶＭアレイ２２０は、相変化メモリ（ＰＣＭ）、相変化ランダム・アクセス・メモリ（ＰＲＡＭ又はＰＣＲＡＭ）、Ｏｖｏｎｉｃ  Ｕｎｉｆｉｅｄ  Ｍｅｍｏｒｙ（ＯＵＭ）、又はカルコゲナイド・ランダム・アクセス・メモリ（Ｃ−ＲＡＭ）と呼ぶことができる。ＮＶＭアレイ２２０は、フラッシュメモリ（例えば、ＮＯＲ、ＮＡＮＤ）を含むことができる。
【００１６】
ＮＶＭデバイス１２２はまた、１つ又はそれ以上のレジスタを有する状況レジスタ・ユニット２３０と、コマンド・インターフェース２４０とを含む。ＮＶＭデバイス１２２は、図２と併せて上記により詳細に説明される。
【００１７】
揮発性メモリ及び不揮発性メモリを、スタッキングプロセスで組み合わせて基板上のフットプリントを減少させ、別個にパッケージ化し、又はプロセッサの上部に配置されたメモリ・コンポーネントと共にマルチチップ・パッケージ内に配置することができる。実施形態はまた、プロセッサコアのうちの１つ又はそれ以上を不揮発性メモリ３３０及び３３２と共に埋め込むことができることも示す。
【００１８】
図４は、１つの実施形態による、制御された電力遮断シーケンスを実行するための方法を示す。方法は、ブロック４０２において発生すると予想される制御された電力損失イベントを検出することを含む。例えば、メモリデバイス（例えば、ＮＶＭデバイス）に結合されたホストコントローラは、バッテリ電源が完全な放電状態に近づいており、よってデバイスの遮断を要求していることを検出することができる。方法は、ブロック４０４において、電力損失イベントの検出に応答して、ホストコントローラを用いて制御された電力遮断コマンドをメモリデバイスに出すことを含む。方法は、ブロック４０６において、メモリデバイスの状況レジスタ・ユニットを読み取ることを含む。方法は、ブロック４０８において、メモリデバイスが動作を実行しているかどうかを判断することを含む。メモリデバイスが動作を実行していない場合には、ブロック４１０において、電力供給が安全に除去される。
【００１９】
メモリデバイスが動作を実行している場合には、状況レジスタ・ユニットにアクセスして、動作をいつ完了又は一時停止させるかを決定することができる。方法は、ブロック４１２において、制御された電力遮断コマンドに応答して、メモリデバイスからホストコントローラにおいてメモリ肯定応答を受信すること、或いは、バックグラウンド動作を安全に一時停止する前又はバックグラウンド動作を完了する前に一定時間待つことを含む。方法は、ブロック４１４において、メモリデバイスがバックグラウンド動作を実行している場合、バックグラウンド動作を安全に一時停止する又はバックグランド動作を完了することを含む。方法は、制御された電力遮断コマンドの受信時にメモリデバイスがバックグラウンド動作を実施していたとしても、ブロック４１６において、供給電力を安全に除去することを含む。方法は、ブロック４１８において、メモリデバイスへの電力を後で復旧することを含む。方法は、ブロック４２０において、適用可能な場合には、メモリデバイスへの電力を復旧した後、一時停止されたバックグラウンド動作を完了することを含む。
【００２０】
詳細な説明の幾つかの部分は、コンピュータメモリ内のデータビット又は２値デジタル信号の動作のアルゴリズム及び記号的表現に関して表される。これらのアルゴリズム記述及び表現は、データ処理技術の当業者が、他の当業者にその仕事の内容を伝えるのに使用する技術とすることができる。
【００２１】
アルゴリズムは、ここでは、一般的に、所望の結果をもたらす首尾一貫した行為又は動作のシーケンスであると考えられる。これらは、物理量の物理的操作を含む。通常、必ずしもではないが、これらの量は、格納され、転送され、組み合わされ、比較され、他の方法で操作することができる電気信号又は磁気信号の形態をとる。主として一般的な慣習上、時として、これらの信号をビット、値、要素、記号、文字、用語、数字等と呼ぶことが便利であることが分かっている。しかしながら、これら及び類似した用語の全ては、適切な物理量と関連付けられるべきであり、これらの量に適用される便利なラベルにすぎないことを理解すべきである。
【００２２】
特にことわらない限り、明細書全体にわたって、「処理」、「コンピューティング」、「計算」、「判断」等のような用語を用いる説明は、コンピューティング・システムのレジスタ及び／又はメモリ内の、電子量のような物理量として表されるデータを、コンピューティング・システムのメモリ、レジスタ又は他の情報格納部、伝送又は表示装置内の物理量として同様に表される他のデータに操作及び／又は変換する、コンピュータ又はコンピュータ・システム、或いは類似した電子コンピューティング・デバイスの動作及び／又はプロセスを示すことが理解される。
【００２３】
本発明の実施形態は、本明細書での動作を実行するための装置を含むことができる。装置は、所望の目的のために特に構築することができ、又はデバイス内に格納されたプログラムによって選択的に作動又は再構成される汎用コンピューティング・デバイスを含むことができる。このようなプログラムは、これらに限定されるものではないが、フロッピーディスク、光学ディスク、コンパクトディスク読み取り専用メモリ（ＣＤ−ＲＯＭ）、光磁気ディスク、読み取り専用メモリ（ＲＯＭ）、ランダム・アクセス・メモリ（ＲＡＭ）、電気的プログラマブル読み取り専用メモリ（ＥＰＲＯＭ）、電気的消去可能プログラマブル読み取り専用メモリ（ＥＥＰＲＯＭ）、磁気又は光学カード、或いは、電子命令を格納するのに好適であり、かつ、コンピューティング・デバイスのためにシステムバスに結合することが可能な他のあらゆる形式の媒体を含む、任意の形式のディスクのような記憶媒体上に格納することができる。
【００２４】
本明細書に提示されるプロセス及び表示は、本質的に、いずれの特定のコンピューティング・デバイス又は他の装置に関連するものではない。種々の汎用システムを、本明細書での教示に従ったプログラムと共に用いることができ、或いは、所望の方法を実行するために、より特化した装置を構築することが便利であることが分かっている。種々のこれらのシステムのための所望の構造は、下記の説明から明らかになるであろう。さらに、本発明の実施形態は、任意の特定のプログラミング言語を参照して説明されてはいない。種々のプログラミング言語を用いて、本明細書に記載される本発明の教示を実施できることが理解されるであろう。さらに、本明細書に説明される動作、能力及び特徴を、ハードウェア（離散回路又は集積回路）及びソフトウェアの任意の組み合わせを用いて実施できることを理解すべきである。
【００２５】
上記の説明は、限定ではなく、例示を目的としていることを理解すべきである。当業者には、上記の説明を読んで理解するときに、多くの他の実施形態が明らかになるであろう。従って、本発明の範囲は、添付の特許請求の範囲を参照することにより、このような特許請求の範囲が権利を有する同等物の完全な範囲と共に決定されるべきである。
【符号の説明】
【００２６】
１００：データ処理デバイス
１１０、２０４、３１０：処理ユニット
１１６、３１６：第１のプロセッサコア
１１８、３１８：第２のプロセッサコア
１１９、３１９：ホストコントローラ
１２０、３２０：システムメモリ
１２２：不揮発性メモリ（ＮＶＭ）デバイス
１３０、１３２、３３０、３３２：内蔵された不揮発性メモリ
２０２：電力管理ユニット
２０３：電力供給
２０６：コントローラ
２０８：メモリバス
２２０：不揮発性メモリ（ＮＶＭ）アレイ
２３０：状況レジスタ・ユニット
２４０：コマンド・インターフェース
３００：無線通信デバイス
３１４：アンテナ
３１２：送受信機
３６０：送信機
３６２：受信機
【図１】
2010277685.tif 000003
【図２】
2010277685.tif 000004
【図３】
2010277685.tif 000005
【図４】
2010277685.tif 000006
【外国語明細書】
2010277685.tif 000007
2010277685.tif 000008
2010277685.tif 000009
2010277685.tif 000010
2010277685.tif 000011
2010277685.tif 000012
2010277685.tif 000013
2010277685.tif 000014
2010277685.tif 000015
2010277685.tif 000016
2010277685.tif 000017
2010277685.tif 000018
2010277685.tif 000019
2010277685.tif 000020
2010277685.tif 000021
2010277685.tif 000022
2010277685.tif 000023
2010277685.tif 000024
2010277685.tif 000025
2010277685.tif 000026